【手続補正書】
【提出日】平成28年7月1日(2016.7.1)
【手続補正１】
【補正対象書類名】特許請求の範囲
【補正対象項目名】全文
【補正方法】変更
【補正の内容】
【特許請求の範囲】
【請求項１】
シート収納部から搬送されるシートに画像を印刷する印刷装置であって、
ジョブを保持する保持手段と、
前記保持手段に保持されたジョブの実行指示を受け付ける受付手段と、
前記受付手段によって実行指示を受け付けたジョブを実行する実行手段と、
前記シート収納部に収納されているシートの属性情報を記憶する記憶手段と、
前記保持手段に保持されたジョブで指定されたシートの属性情報が前記記憶手段に記憶されているか否かの判定を、ユーザから判定指示を受け付けたことに従って行う判定手段と、
前記判定手段による判定の結果を表示する表示手段とを有し、
前記判定手段は、前記記憶手段に記憶されたシートの属性情報が変更されたことに従って、さらに前記判定を行い、
前記表示手段は、当該判定の結果を表示することを特徴とする印刷装置。
【請求項２】
シート収納部から搬送されるシートに画像を印刷する印刷装置であって、
ジョブを保持する保持手段と、
前記保持手段に保持されたジョブの実行指示を受け付ける受付手段と、
前記受付手段によって実行指示を受け付けたジョブを実行する実行手段と、
前記シート収納部に収納されているシートの属性情報を記憶する記憶手段と、
前記保持手段に保持されたジョブで指定されたシートの属性情報が前記記憶手段に記憶されているか否かの判定を、ユーザから判定指示を受け付けたことに従って行う判定手段と、
前記判定手段による判定の結果を表示する表示手段とを有し、
前記判定手段は、前記ジョブで指定されたシートの属性情報が変更されたことに従って、さらに前記判定を行い、
前記表示手段は、当該判定の結果を表示することを特徴とする印刷装置。
【請求項３】
前記判定手段は、前記受付手段によって前記保持手段に保持されたジョブの実行指示を受け付ける前に前記判定を行い、
前記表示手段は、当該判定の結果を、前記受付手段によって前記保持手段に保持されたジョブの実行指示を受け付ける前に表示可能であることを特徴とする請求項１または２に記載の印刷装置。
【請求項４】
前記表示手段は、前記保持手段に保持されたジョブを表示可能であり、
前記表示手段は、前記保持手段に保持されたジョブで指定されたシートの属性情報が前記記憶手段に記憶されていないことを、前記ジョブに対応付けて記号によって表示することを特徴とする請求項１乃至３のいずれか１項に記載の印刷装置。
【請求項５】
シート収納部から搬送されるシートに画像を印刷する印刷装置であって、
ジョブを保持する保持手段と、
前記保持手段に保持されたジョブの実行指示を受け付ける受付手段と、
前記受付手段によって実行指示を受け付けたジョブを実行する実行手段と、
前記シート収納部に収納されているシートの属性情報を記憶する記憶手段と、
前記保持手段に保持されたジョブで指定されたシートの属性情報が前記記憶手段に記憶されているか否かの判定を、ユーザから判定指示を受け付けたことに従って行う判定手段と、
前記判定手段による判定の結果を表示する表示手段と、
前記判定手段によって判定してから所定の時間が経過したか否かを判断する判断手段と、
前記判定手段は、前記判断手段によって前記所定の時間が経過したと判断されたことに従って、さらに前記判定を行い、
前記表示手段は、当該判定の結果を表示することを特徴とする印刷装置。
【請求項６】
前記所定の時間を受け付ける受付手段を更に有する
ことを特徴とする請求項５に記載の印刷装置。
【請求項７】
前記判定手段は、前記受付手段によって前記保持手段に保持されたジョブの実行指示を受け付ける前に前記判定を行い、
前記表示手段は、当該判定の結果を、前記受付手段によって前記保持手段に保持されたジョブの実行指示を受け付ける前に表示可能であることを特徴とする請求項５または６に記載の印刷装置。
【請求項８】
前記表示手段は、前記保持手段に保持されたジョブを表示可能であり、
前記表示手段は、前記保持手段に保持されたジョブで指定されたシートの属性情報が前記記憶手段に記憶されていないことを、前記ジョブに対応付けて記号によって表示することを特徴とする請求項５乃至７のいずれか１項に記載の印刷装置。
【請求項９】
前記属性情報はシートのサイズ、シートの坪量、シートの表面性、シートの形状、又は、シートの色の少なくとも１つを含む
ことを特徴とする請求項１乃至８のいずれか１項に記載の印刷装置。
【請求項１０】
シート収納部から搬送されるシートに画像を印刷する印刷装置の制御方法であって、
保持部に保持されたジョブの実行指示を受け付ける受付工程と、
前記受付工程で実行指示を受け付けたジョブを実行する実行工程と、
前記シート収納部に収納されているシートの属性情報を記憶部に記憶する記憶工程と、
前記保持部に保持されたジョブで指定されたシートの属性情報が前記記憶部に記憶されているか否かを、ユーザから判定指示を受け付けたことに従って行う判定工程と、
前記判定工程における判定の結果を表示する表示工程とを有し、
前記判定工程では、前記記憶部に記憶されたシートの属性情報が変更されたことに従って、さらに前記判定を行い、
前記表示工程では、当該判定の結果を表示することを特徴とする印刷装置の制御方法。
【請求項１１】
請求項１０に記載の制御方法を、コンピュータに実行させるためのプログラム。
【手続補正２】
【補正対象書類名】明細書
【補正対象項目名】発明の名称
【補正方法】変更
【補正の内容】
【発明の名称】印刷装置及びその制御方法、プログラム
【手続補正３】
【補正対象書類名】明細書
【補正対象項目名】０００１
【補正方法】変更
【補正の内容】
【０００１】
本発明は、ジョブを保持し、保持したジョブを実行する印刷装置及びその制御方法とプログラムに関するものである。
【手続補正４】
【補正対象書類名】明細書
【補正対象項目名】０００６
【補正方法】変更
【補正の内容】
【０００６】
本発明の目的は、ジョブで指定されたシートの属性情報が、記憶手段に記憶されているか否かの判定をユーザの判定指示によって行った後、記憶手段に記憶されたシートの属性情報が変更されたことに従って、判定の結果を変更できる技術を提供することを目的とする。
【手続補正５】
【補正対象書類名】明細書
【補正対象項目名】０００７
【補正方法】変更
【補正の内容】
【０００７】
上記目的を達成するために本発明の一態様に係る印刷装置は以下のような構成を備える。即ち、シート収納部から搬送されるシートに画像を印刷する印刷装置であって、ジョブを保持する保持手段と、前記保持手段に保持されたジョブの実行指示を受け付ける受付手段と、前記受付手段によって実行指示を受け付けたジョブを実行する実行手段と、前記シート収納部に収納されているシートの属性情報を記憶する記憶手段と、前記保持手段に保持されたジョブで指定されたシートの属性情報が前記記憶手段に記憶されているか否かを、ユーザから判定指示を受け付けたことに従って判定する判定手段と、前記判定手段による判定の結果を表示する表示手段とを有し、前記判定手段は、前記記憶手段に記憶されたシートの属性情報が変更されたことに従って、さらに前記判定を行い、前記表示手段は、当該判定の結果を表示することを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明によれば、ジョブで指定されたシートの属性情報が、記憶手段に記憶されているか否かの判定をユーザの判定指示によって行った後、記憶手段に記憶されたシートの属性情報が変更されたことに従って、判定の結果を変更することができる。